(57)【特許請求の範囲】
【請求項１】
複数のレンズと、該レンズを保持するための鏡室と、絞り値を変更するための絞り装置とを備えたレンズ鏡筒において、
複数の絞り羽根と、該絞り羽根を開閉操作する開閉環と、該絞り羽根の作動の支点となる金属製の固定環とプラスチック製のハウジングを有し、
該絞り羽根と該開閉環と該固定環が該ハウジングに組み込まれており、該固定環外径が該ハウジングの内径に中間バメ嵌合されていることを特徴とするレンズ鏡筒の絞り装置。
【発明の詳細な説明】
【０００１】
【発明の属する技術分野】
本発明は、絞り作動機構に関するものであり、更に詳しくは交換可能なレンズを有する一眼レフレックスカメラ等のシステムカメラに使用するレンズ鏡筒内部の絞り作動装置の構造に関するものである。
【０００２】
【従来の技術】
従来より多くのレンズ鏡筒には、該レンズ鏡筒を通過する光量の増減や焦点深度調整のための絞り装置が組み込まれてきた。絞り装置は、特に近年はコストダウンや生産性の向上のため絞り作動装置のハウジングを金属製ではなくプラスチック製にしたものが多く提案され、生産・販売されている。
【０００３】
また、絞り羽根や該絞り羽根を作動させる開閉環（以下、ダイヤフラムプレートという）や固定環（以下、アパーチャープレートという）は薄い板形状のためプラスチック成形には向かず、従来より金型の安価な金属製のプレス部品が多く使われてきた。
【０００４】
これにより絞り作動装置は、内部機構と外部ハウジングと材質が異なる場合が多く発生している。これにより、常温時は良好な絞り羽根の作動が得られても温度変化時、特に低温時にはプラスチック製のハウジングが収縮してダイヤフラムプレートの回転を妨げ、作動不能になってしまうという問題が発生した。
【０００５】
例えば、ダイヤフラムプレートの外径が５０ｍｍ前後の絞り装置においてはハウジングをプラスチックで成形した場合（プラスチックの材質にもよるが）、温度が１５℃から−２０℃まで下がると径で０．０５ｍｍ程収縮してしまうことがある。
【０００６】
このため、従来の絞り機構においては、ハウジングの収縮を見込んだクリアランスを該ハウジングと該ダイヤフラムプレートの摺動径に持たせたり、該ハウジング内径に金属のリングを嵌合し、該金属リングの内径をダイヤフラムプレートの摺動径とする等の方法が採られていた。
【０００７】
【発明が解決しようとする課題】
しかしながら、ハウジングの収縮を見込んだクリアランスをダイヤフラムプレートの摺動径に持たせてしまうと常温時はガタとなり正確な作動ができず、絞り値が不正確となってしまう。また、ダイヤフラムプレートとアパーチャープレートとの間に偏心が発生し、絞り込んだ際の開口形状が正多角形とならず撮影時のボケがきたなくなる等の問題が発生する。
【０００８】
ハウジングの内径に金属のリングを嵌合し、さらに、その内径をダイヤフラムプレートの摺動径とするものは上記のような問題は発生しないが、該金属リングの被摺動部はプレス部品の破断面であるため、該金属リングの被摺動部分を同様の破断面とすることは絞り羽根作動上の問題がある。このため該金属リングは高価な切削部品を使用することになり、ハウジングをプラスチック化したことによるコストダウンの効果が大幅に薄れてしまう。
【０００９】
これらの問題がハウジングのプラスチック化によるコストダウン設計の大きな障害となっていた。
【００１０】
【課題を解決するための手段】
上記問題を解決するため、本発明においてはダイヤフラムプレートの近傍にアパーチャープレートを圧入ないし中間バメでハウジングに嵌合することにより、該アパーチャープレートが該ハウジングのダイヤフラムプレート摺動径の収縮を妨げ、低温時のダイヤフラムプレートと絞り羽根の作動不良を防ぐことができる。
【００１１】
また、ハウジング内径のアパーチャープレート嵌合部が、同芯度補正のために真円形状でない場合も、該アパーチャープレート外径形状をこれに合わせることによって同様の効果を得ることができる。
【００１２】
しかし、ハウジングのアパーチャープレート嵌合部が円筒形状でなく、位置決めボス等による位置合わせの場合、該アパーチャープレートはハウジングの低温収縮を防ぐことができない。この場合はアパーチャープレート以外に、温度低下時にハウジングの収縮を押さえる部材を、該ダイヤフラムプレートの近傍に嵌合させることによって同様に低温時のダイヤフラムプレートと絞り羽根の作動不良を防ぐことができる。
【００１３】
【発明の実施の形態】
本発明の絞り作動装置においては、筒形状のプラスチック製ハウジング内径に、複数の絞り羽根と、該絞り羽根を開閉操作するダイヤフラムプレートと、該絞り羽根の作動の支点となるアパーチャープレートとを有する絞り機構部品を組み込む。
【００１４】
この時、該アパーチャープレートは該ダイヤフラムプレートに近い位置に配置し、しかも圧入ないし中間バメ嵌合されており、これによって該ハウジングの低温収縮が制限され、ダイヤフラムプレートの作動クリアランスが確保される。
【００１５】
また、該ハウジングのアパーチャープレート嵌合径が真円でない場合も、該アパーチャープレートの外径形状をこれに合せ、該ハウジングが多角形形状に収縮するのを防ぎ同様の効果を得る。
【００１６】
さらに、プラスチック製ハウジングのアパーチャープレート嵌合部が円筒形状でなく、該アパーチャープレートによってハウジングの収縮が防げないとき、ハウジングの収縮を押さえる別の部材（ダイヤフラムガイド）を、該ダイヤフラムプレートのアパーチャープレートとは反対側に嵌合させることにより、このダイヤフラムガイドで該ハウジングの低温収縮が制限され、ダイヤフラムプレートの作動クリアランスが確保される。
【００１７】
【実施例】
以下に図面を参照して本発明による絞り装置の実施例を示す。
【００１８】
図１は本発明による絞り装置の分解斜視図である。図２は該絞り装置の断面図、図３は該絞り装置の組立斜視図である。
【００１９】
図１ないし図３において、１はプラスチック製のハウジングであり、内径にダイヤフラムプレート２の摺動径１ａ、アパーチャープレート４の圧入径１ｂ、絞り機構をビス止めするための３ヶ所の穴１ｃを有する。該ハウジング１にダイヤフラムプレート２、９枚の絞り羽根３、アパーチャープレート４の順で組み込み、最後に３本のビス５で締結する。なお、アパーチャープレート４の凹部４ｃは取付ビス５の逃げである。
【００２０】
絞り羽根３は表側に突起３ａ、裏側に突起３ｂを有し、突起３ａがアパーチャープレート４に設けられた９個の穴４ａに回転可能な状態に挿入され、突起３ｂがダイヤフラムプレート２のカム溝２ａと摺動可能な状態に挿入されている。これによってダイヤフラムプレート２がハウジング１内で光軸を中心に回転した際、その回転に絞り羽根３がカム連動することによって絞り羽根３が開閉し、絞り径が変更される。なお、アパーチャープレート４の突起４ｂはダイヤフラムプレート２のスラスト方向のガタを防止するためのガイドである。
【００２１】
上記のような構成において、アパーチャープレート４とハウジング１の圧入径１ｂを圧入ないし中間バメ設定とすることにより、低温時ハウジング１の収縮が妨げられダイヤフラムプレート２の作動クリアランスが確保される。
【００２２】
図４はハウジングのアパーチャープレート取り付け径が同芯度補正等のため真円になっていない場合における本発明の絞り装置の分解斜視図である。図５は該絞り装置の断面図、図６は該絞り装置の組立斜視図である。
【００２３】
図４ないし図６において、１１はプラスチック製のハウジングであり、内径にダイヤフラムプレート１２の摺動径１１ａ、部分補正され、真円でなくなったアパーチャープレート１４の圧入径１１ｂ、絞り機構をビス止めするための３ヶ所の穴１１ｃを有する。該ハウジング１１にダイヤフラムプレート１２、９枚の絞り羽根１３、アパーチャープレート１４の順で組み込み、最後に３本のビス１５で締結する。なお、アパーチャープレート１４の凹部１４ｃは取付ビス１５の逃げである。
【００２４】
絞り羽根１３は表側に突起１３ａ、裏側に突起１３ｂを有し、突起１３ａがアパーチャープレート１４に設けられた９個の穴１４ａに回転可能な状態に挿入され、突起１３ｂがダイヤフラムプレート１２のカム溝１２ａと摺動可能な状態に挿入されている。これによってダイヤフラムプレート１２がハウジング１１内で光軸を中心に回転した際、その回転に絞り羽根１３がカム連動することによって絞り羽根１３が開閉し、絞り径が変更される。なお、アパーチャープレート１４の突起１４ｂはダイヤフラムプレート１２のスラスト方向のガタを防止するためのガイドである。
【００２５】
上記のような構成において、アパーチャープレート１４とハウジング１１の圧入径１１ｂの形状を合致させることによりハウジング１１の収縮が妨げられダイヤフラムプレート１２の作動クリアランスが確保される。
【００２６】
図７はハウジングのアパーチャープレート嵌合部が円筒形状でなく、位置決めボス等による位置合わせの場合のハウジングの絞り装置の分解斜視図である。図８は該絞り装置の断面図、図９は該絞り装置の組立斜視図である。
【００２７】
図７ないし図９において、２０はプラスチック製のハウジングであり、内径にダイヤフラムプレート２２の摺動径２０ｄがある、このハウジング２０ではアパーチャープレート２４の取付径を有する部分は３ヶ所の突起２０ｅのみで、代わりに位置決めボス２０ａが用意されている。なお２０ｂはビス締結用の穴である。
【００２８】
このハウジング２０にダイヤフラムガイド２１、ダイヤフラムプレート２２、９枚の絞り羽根２３、アパーチャープレート２４の順で組み込み、最後に３本のビス２５で締結する。なお、アパーチャープレート２４の穴２４ｂはハウジング２０の位置決めボス２０ａが挿入される。２４ｃは取付ビス２５用の穴である。
【００２９】
ダイヤフラムガイド２１はダイヤフラムプレート２２の摺動径の近傍のハウジング２０の内径２０ｃに圧入ないし中間バメ嵌合される。
【００３０】
絞り羽根２３は表側に突起２３ａ、裏側に突起２３ｂを有し、突起２３ａがアパーチャープレート２４に設けられた９個の穴２４ａに回転可能な状態に挿入され、突起２３ｂがダイヤフラムプレート２２のカム溝２２ａと摺動可能な状態に挿入されている。これによってダイヤフラムプレート２２がハウジング２０内で光軸を中心に回転した際、その回転に絞り羽根２３がカム連動することによって絞り羽根２３が開閉し、絞り径が変更される。なお、ダイヤフラムプレート２２の突起２２ｂはダイヤフラムプレート２２のスラスト方向のガタを防止するためのガイドである。
【００３１】
上記のような構成において、ダイヤフラムガイド２１とハウジング２０の内径２０ｃを圧入ないし中間バメ設定とすることにより低温時ハウジング２０の収縮が妨げられダイヤフラムプレート２２の作動クリアランスが確保される。
【００３２】
【発明の効果】
上記の通り、本発明の絞り装置においては、アパーチャープレートを圧入ないし中間バメでハウジングに嵌合することにより、安価で生産性の高いプラスチック成形品や金属プレス品を用いながら低温状態でも良好で精度の高い作動が得られる。
【００３３】
また、ハウジング内径のアパーチャープレート嵌合部が、同芯度補正のために真円形状でない場合も該アパーチャープレート外径形状をこれに合わせることによって同様の効果を得ることができる。
【００３４】
さらに、ハウジングのアパーチャープレート嵌合部が円筒形状でなく、位置決めボス等による位置合わせの場合でも、アパーチャープレート以外に温度低下時にハウジングの収縮を押さえる部材を該ダイヤフラムプレートの近傍に嵌合させることによって同様の効果を得ることが可能になった。
【００３５】
なお、本実施例ではダイヤフラムプレートに連動カムを成形したが、アパーチャープレート側にあってもよい。ダイヤフラムガイドがバネ掛け等別の機能を有していても問題が無い事は言うまでもない。
【図面の簡単な説明】
【図１】本発明による絞り装置の分解斜視図である。
【図２】絞り装置の断面図である。
【図３】絞り装置の組立斜視図である。
【図４】本発明による絞り装置の分解斜視図である。
【図５】絞り装置の断面図である。
【図６】絞り装置の組立斜視図である。
【図７】本発明による絞り装置の分解斜視図である。
【図８】絞り装置の断面図である。
【図９】絞り装置の組立斜視図である。
【符号の説明】
１  ハウジング
２  ダイヤフラムプレート
３  絞り羽根
４  アパーチャープレート
５  ビス
１１  ハウジング
１２  ダイヤフラムプレート
１３  絞り羽根
１４  アパーチャープレート
１５  ビス
２０  ハウジング
２１  ダイヤフラムガイド
２２  ダイヤフラムプレート
２３  絞り羽根
２４  アパーチャープレート
２５  ビス
【図１】
0004234261.tif 000002
【図２】
0004234261.tif 000003
【図３】
0004234261.tif 000004
【図４】
0004234261.tif 000005
【図５】
0004234261.tif 000006
【図６】
0004234261.tif 000007
【図７】
0004234261.tif 000008
【図８】
0004234261.tif 000009
【図９】
0004234261.tif 000010